(57)【要約】  本発明は、マネキン上で実行されるＣＰＲを監視するためのシステムに関する。マネキンは、実行されたＣＰＲに関する少なくとも１つの第１のパラメータを測定するための手段と、実行されたＣＰＲに関する少なくとも１つの第２のパラメータを測定するためのセンサを備えるＣＰＲの間のマネキンまたは患者の胸部上の位置決めをするための測定ユニットとを備える。システムは、また、マネキン上で実行されたＣＰＲの間に選択された時間の間に測定された第１および第２のパラメータを分析し、且つ測定されたパラメータを評価するための分析手段を備える【選択図】図１Ａ
2013546016.tif 000002
【特許請求の範囲】
【請求項１】
マネキン上で実行されるＣＰＲを監視するためのシステムであって、
前記マネキンは、実行されたＣＰＲに関する少なくとも１つの第１のパラメータを測定するための手段と、実行されたＣＰＲに関する少なくとも１つの第２のパラメータを測定するためのセンサを備えるＣＰＲの間のマネキンまたは患者の胸部上の位置決めをするための測定ユニットとを備え、
前記システムは、また、前記マネキン上で実行されたＣＰＲの間の選択された時間の間に測定された前記第１および第２のパラメータを分析し、且つ前記測定されたパラメータを評価するための分析手段を備えるシステム。
【請求項２】
前記測定ユニットは、ＣＰＲの間に圧縮深さを測定するためのセンサと、前記測定されたパラメータを保存するためのメモリユニットとを備える無線ＣＰＲセンサである請求項１に記載のシステム。
【請求項３】
前記マネキンは、圧縮深さセンサ、通気センサ、圧迫が実行される前記胸部の位置を測定する位置センサのうちの少なくとも１つのセンサを備える請求項１に記載のシステム。
【請求項４】
前記分析手段は、ユーザに対して改善されたフィードバックを可能にするために、前記測定ユニットおよび前記マネキンにおいて測定された対応するパラメータと、該パラメータと推奨されるＣＰＲ処理との間の検出偏差とを比較するように構成される請求項１に記載のシステム。
【請求項５】
前記マネキンは、独立した測定ユニットと通信するための第１の通信手段を備え、前記測定ユニットは、前記第１の通信手段と通信するための第２の通信手段を備える請求項１に記載のシステム。
【請求項６】
前記マネキンにおいて測定された前記パラメータは、前記測定ユニットに通信され、前記測定ユニットは、前記測定ユニットおよび前記マネキンの両方にて測定された前記パラメータを保存するためのストレージデバイスを有する請求項５に記載のシステム。
【請求項７】
前記測定ユニットにおいて測定された前記パラメータは、前記マネキンに通信され、前記マネキンは、前記測定ユニットおよび前記マネキンの両方にて測定された前記パラメータを保存するためのストレージデバイスを有する請求項５に記載のシステム。
【請求項８】
前記通信手段は、例えばＲＦＩＤ、ブルートゥースなどの通信プロトコルを用いる電磁気信号を用いる請求項５に記載のシステム。
【請求項９】
前記分析手段は、それらの１つにおける誤差を検出するために、前記マネキンおよび前記ＣＰＲ測定ユニットの測定値の間の偏差を検出するように構成される請求項１に記載のシステム。
【請求項１０】
外部コンピュータをさらに備え、該外部コンピュータにおいて少なくとも１つの分析されたパラメータが、保存され、例えば後のトレーニングセッションの間に前記マネキンに通信されることができ、それにより、前記トレーニングセッションを前記保存されたパラメータに適応させるための手段を備える請求項１に記載のシステム。
【請求項１１】
保存されたパラメータが、トレーニングを実行する人と関連し、前記システムは、前記人を識別し、次のトレーニングセッションを、実行するユーザに適応するように構成される請求項１に記載のシステム。
【請求項１２】
請求項１に記載のシステムで使用されるＣＰＲ測定装置であって、
前記マネキンから測定データを受信するための通信手段と、
前記マネキンから受信した情報を保存するためのストレージデバイスと、
前記測定されたパラメータを評価する前記分析手段を備える外部コンピュータに、前記ＣＰＲ測定ユニットから、および前記マネキンからの両方からの格納データを通信するための出力インタフェースと
を含む装置。
【発明の詳細な説明】
【技術分野】
【０００１】
この発明は、マネキン上で実行されるＣＰＲ（心肺蘇生法）を監視するためのシステムに関し、マネキンは、実行されるＣＰＲに関する少なくとも１つの第１のパラメータを測定するための手段備える。
【背景技術】
【０００２】
患者または患者を模擬するマネキンの胸部のＣＰＲ動作の測定は、周知であり、例えば、特許文献１に記載されている。この公報は、ＣＰＲの質を示すパラメータを測定するセンサ、例えば、圧力、力覚、または加速度センサを含む装置を記載する。これらの装置は、大抵の場合、彼または彼女がＣＰＲの間動作を調整することを可能にするために、視覚または聴覚インジケータによって、ＣＰＲを行なう人間に対してリアルタイムフィードバックを提供するための手段とともに提供される。
【０００３】
上述の特許文献に記載された装置は、所有者がいつでも自身とともにその装置を保持できるように、コンパクト装置として作られ、それにより、場面が生じるときに容易に利用可能なユニットを有する可能性を高める。但し、これは、ユーザを訓練し、トレーニングまたは現実の場面における動作を評価する必要性を払拭しない。また、上述の出願におけるユニットは、実行されるＣＰＲについての情報が後の検査のために保存されるデータストレージを含む。
【０００４】
特許文献２に記載されたようなＣＰＲマネキンの訓練用は、マネキンにおける測定システム上で、または測定システムとともに記載されるような測定ユニットとともに、しばしば用いられる。必要なスキルを維持するためにあなたがトレーニングを繰り返す必要があることを経験が示しており、したがって、簡易なマネキンは、人が働く場所、または人命救助が必要かもしれない病院や学校などの場所に配置される。マネキンはそれぞれの場所で利用可能なように低コストであるべきである。または、人は、マネキンを用いることを失念するかもしれず、したがって、マネキンは、大抵の場合、適正な力の使用を示す簡易な力覚感知スイッチ（ｆｏｒｃｅ  ｓｅｎｓｉｔｉｖｅ  ｓｗｉｔｃｈ）をもつ膨張式のユニットである。これらの場合において、マネキンによってなされた表示は、それらはいくつかの支援を提供するものの、十分なトレーニング効果を提供するには不十分かもしれない。
【０００５】
特許文献２に記載されたマネキンを組み合わせた上述の特許文献１に記載されたような測定器の使用は、ユーザにＣＰＲの品質および付加的なフィードバックに関する付加的で、且つことによるとさらに高度な情報を与えるかもしれない。但し、人が訓練されたスキルを維持することを保証するために、それは、さらに一定の間隔で繰り返す訓練を必要とする。
【先行技術文献】
【特許文献】
【０００６】
【特許文献１】米国特許出願第２００８／３１２５６５号明細書
【特許文献２】国際公開第２００４／１００１０７号
【発明の概要】
【発明が解決しようとする課題】
【０００７】
したがって、本発明は、ＣＰＲを行なう人に対してフィードバックを提供するための改善型のシステムを提供することを目的とする。この目的は、上述したような、且つ添付の特許請求の範囲において規定されるように特徴とされたシステムを用いて得られる。
【課題を解決するための手段】
【０００８】
本発明によるシステムは、訓練の間にＣＰＲを実行する人に与えられるフィードバックを改善する実現性を提供し、さらなる訓練に対する必要性を示すことを求められる。これは、測定ユニットによって実行された測定値を調整または較正するために、あるいは訓練に関する追加情報を提供するために用いられるＣＰＲ訓練の間にマネキンにおいて得られた測定値を提供するよって得られる。これらの測定値は、手先位置、胸当てにおける加速度、および通気を含んでもよいが、印加される力の方向だけでなく、マネキンの剛性、寸法、支持構造（例えばベッド）の適応性に関する情報も含んでもよい。情報を分析することに適している手段に情報を転送するまで、マネキン測定値は、好ましくは、ストレージのための無線通信を通じて測定装置に送信される。
【０００９】
マネキンは、したがって、簡易なユニットであってもよく、ＣＰＲ測定装置は、訓練の分析のための後のステージにてコンピュータに接続されてもよく、動作を評価し、さらなる訓練がどの部分に必要なのかを示してもよい。
【００１０】
本発明は、例として本発明を図示する添付の図面を参照しながら、以下に記載されるだろう。
【図面の簡単な説明】
【００１１】
【図１ａ】本発明の好適な実施形態によるシステムにおけるマネキンおよび測定ユニットを図示する。
【図１ｂ】手先位置センサをもつマネキン内の胸当て（ｂｒｅａｓｔ  ｐｌａｔｅ）を図示する。
【図２】本発明の好適な実施形態によるシステムにおけるマネキンを図示する。
【図３】本発明の好適な実施形態によるマネキンの中心回路を図示する。
【発明を実施するための形態】
【００１２】
図１ａにおいて、測定ユニット１は、特許文献１において論じられたものと同様の種類のカードである。測定ユニット１は、加速度センサ１５などのセンサを含み、圧迫の深さおよび周期数などのＣＰＲと関連する選択された特性を測定し、また、大抵の場合、実行されたＣＰＲの質を示すための例えば発光ダイオードを用いるフィードバックデバイス１６に連結されたマイクロコントローラ１４を含む。また、測定ユニット１は、圧迫の間に力が完全に緩められるか否かを検出するための力覚センサを含んでもよく、測定された特性は、カード内のメモリに保存される。さらに、カードは、少なくともマネキン２内で測定された特性に関する情報を受信するためのＲＦＩＤ装置１３ａおよびアンテナ１３と、マネキンからの対応する通信装置３から送信された情報を保存するためのメモリとを備える。図示する測定ユニットは、また、自動的にユニットをオフに転じることができる電力コントローラ１７に連結されたバッテリ１１およびオン／オフスイッチ１２を備える。
【００１３】
測定ユニット１は、好ましくは、また、保存された情報を外部コンピュータに通信するための、およびカード内のバッテリの充電のためのインタフェースをもつ接続手段を備えるが、但し、ＲＦＩＤ回路１３ａおよびアンテナ１３を用いて、情報を転送することも可能であってもよい。
【００１４】
したがって、カードは、訓練の場面だけでなく現実の場面から記録されたデータも含んでもよく、ＣＰＲに関する付加的な特性を通信することができるマネキン上で訓練が実行された場合には、マネキン情報も測定ユニット内に保存される。したがって、これらの場合において、例えば、同一の日時またはデータ間の関係を示す他のインジケータにタグ付けされた２つの並列データセットがある。これらのデータを、実行されたＣＰＲ訓練の評価を向上させるために組み合わせてもよい。
【００１５】
マネキン２は、例えばＲＦＩＤを用いて、測定されたパラメータと関連する信号を測定ユニット１に通信するための通信手段３だけでなく、選択されたパラメータを測定するための測定手段を備える。例示としてＲＦＩＤをここに用いるが、Ｂｌｕｅｔｏｏｔｈ通信プロトコルのような他の通信手段を用いてもよい。図１ｂに図示するように、４つの圧力センサまたは同様のものを、アンテナ３およびＣＰＲの実行のための理想位置の近くのマネキン胸部内に配置する。４つの圧力センサに対して印加された差圧は、印加される圧の位置の表示を提供し、したがって、ＣＰＲが不適当な場所で実行されているか否かを検出することができてもよい。その後、この情報を、測定ユニット１に通信してもよい。図１ｂに図示するように、圧力センサ４およびアンテナ３を、マネキン内の胸当て７上のプリント回路基板８上に取り付ける。
【００１６】
図２において、マネキンの断面は、訓練目的のために用いる付加的な測定器を示して図示する。これらの中で、測定ユニット１によってサンプリングされたデータに対応するデータを提供する胸部圧迫を測定するための加速度計５ａ、５ｂがあってもよい。２つの加速度計５ａ、５ｂは、好ましくは、実際の圧迫が胸部５ａおよびその後方５ｂの加速度計間の差によって表わされるように、柔軟なマットレスや移動救急車などの支援の活動を除外することによって、胸部の圧迫を測定することができるように用いられる。
【００１７】
マネキンは、また、バッグの中および外の空気の流れを測定する流量センサをもつバッグ６などの通気測定手段を含んでもよい。
【００１８】
図３は、マネキン内の中央制御回路３４に連結された、圧迫測定装置３５およびマネキン上の手先位置を測定するセンサ４、４ａ、力覚センサ、胸部隆起センサ３１、３２、３９のためのユニットを含む、マネキン２の胸当て７内に好ましくは取り付けられた回路を図示する。図３における回路は、電源入力３６および通信用インターフェースポート３７のための接続を含む。但し、前者はバッテリに交換されてもよい。また、通信がすべてＲＦＩＤアンテナおよびＲＦＩＤコントローラ３３、３３ａを通じて制御回路３４によって提供されるのであれば、後者を省略してもよい。
【００１９】
本発明によるシステムは、好ましくは、測定ユニットによって、またはマネキンにおいて実行された測定値に対して追加の測定値を提供することに適応する。情報は、測定ユニットに送信され、ユニットの使用記録を提供するために測定ユニットにて保存される。この情報は、現場で分析されてもよいし、または、その後のさらなる処理のために保存されてもよい。これらの処理手段を、マネキンおよび測定ユニット（例えば、測定ユニットをもつ標準ＵＳＢ、ＲＦＩＤまたはＢｌｕｅｔｏｏｔｈ通信をもつコンピュータである）の両方とは別個に配置してもよい。また、分析は、対応する測定値を比較する方法、およびまた時系列に実行された測定値に関連づけられでもよい同時の間に実行された他の測定値の比較を比較する方法を備えてもよい。例えば、圧迫の悪いポジショニングは、大きな力および低圧縮の深さに関連するかもしれない。
【００２０】
したがって、付加的な測定ユニットを含むマネキンでの訓練において測定ユニットを用いる人は、さらなる訓練のための付加的なアドバイスを受け取ってもよい。例えば、マネキンにて測定された特性の分析は、圧迫は十分であるがマネキンの通気が不十分であり、この部分におけるさらなる訓練を実行するべきである、と示してもよい。あるいは、手先位置または圧迫方向が悪いかもしれない。
【００２１】
システムは、また、測定ユニットのバッテリ、および／または反対にマネキン内の回路を充電する無線のための手段を備えてもよい。特に、大きな定置型のマネキンは、外部電源に連結されてもよいし、マネキンと通信状態にあるときに測定ユニットを充電することに適応していてもよい。これを、ＲＦＩＤシステムにおいて送信された情報パッケージ間の時間窓において実行してもよい。
【００２２】
したがって、本発明を要約すると、マネキン上で実行されるＣＰＲを監視するためのシステムに関する。ここでマネキンは、実行されるＣＰＲに関する少なくとも１つの第１のパラメータを測定するための手段を備える。これらのパラメータは、好ましくは、胸部表面の手先位置、通気、および加速度になるだろう。但し、さらに高度なモデルにおいては、胸部隆起および後方の加速度計を用いてもよく、後者は、実際の圧迫を測定するための手段を提供する。
【００２３】
より具体的には、本発明の好適な実施形態は、マネキン上で実行されるＣＰＲを監視するためのシステムに関する。マネキンは、実行されたＣＰＲに関する少なくとも１つの第１のパラメータを測定するための手段と、実行されたＣＰＲに関する少なくとも１つの第２のパラメータを測定するためのセンサを備えるＣＰＲの間のマネキンまたは患者の胸部上の位置決めをするための測定ユニットとを備える。システムは、また、前記マネキン上で実行されたＣＰＲの間に選択された時間の間に測定された前記第１および第２パラメータを分析し、所定の仕様に基づいて測定されたパラメータを評価し、前記測定ユニット内に前記評価を保存するための分析手段を備える。測定ユニットは、好ましくは、前記第１および第２のパラメータの前記評価だけでなくＣＰＲの間に測定された前記少なくとも第２の測定されたパラメータに基づいたＣＰＲの間にユーザに対してフィードバックを提供するためのフィードバック手段を備える。
【００２４】
したがって、マネキンおよび測定ユニットにおける測定値は、ＣＰＲを実行するときにユーザに与えられるフィードバックの修正または較正を保存してもよいことに基づいて、その後コンピュータ内に保存され分析されてもよい。
【００２５】
本発明は、また、圧縮深さ、およびことによるとマネキンに関する測定ユニットの配向の計算のための加速度計など、実行されたＣＰＲに関する少なくとも１つの第２のパラメータを測定するためのセンサを備えるＣＰＲの間にマネキンまたは患者の胸部上の位置決めをするための測定ユニットに関する。システムは、また、前記マネキン上で実行されたＣＰＲの間に選択された時間の間に測定された前記第１および第２のパラメータを分析し、測定されたパラメータを評価するための分析手段を備え、分析手段は、好ましくは、無線通信または他の種類のインタフェースを通じて前記時間から保存された情報を読み取ることができるスタンドアロン型装置内に配置される。
【００２６】
測定ユニットは、ＣＰＲの間に圧縮深さを測定するためのセンサと、測定されたパラメータを保存するためのメモリユニットとを両方とも備える無線ＣＰＲセンサである。マネキンは、圧縮深さセンサ、通気センサ、圧迫が実行される胸部の位置を測定する位置センサのうちの少なくとも１つのセンサを備える。好適な実施形態によれば、マネキンは、センサによって測定された情報を表わす情報の無線通信、または分析手段による後の分析のために通信情報を保存することに適応するＣＰＲ測定ユニットに適応する。
【００２７】
また、測定ユニットからマネキンまでの通信は、例えば、訓練講習からの結果を分析するために、可能である。但しその一方では、ストレージをもつさらに高価なマネキン、および／または、さらに高度な通信手段を必要とする。
【００２８】
システムで使用される好適なＣＰＲ測定装置は、したがって、マネキンから測定データを受信するための通信手段と、マネキンから受信した情報を保存するためのストレージデバイスと、測定されたパラメータを評価する分析手段を備える外部コンピュータに、ＣＰＲ測定ユニットから、およびマネキンからの両方からの格納データを通信するための出力インタフェースとを含む。
【００２９】
ＣＰＲ測定装置において格納された情報を分析した後、次のトレーニングセッションの間にマネキンによって読み取ることができ、したがって、そのトレーニングセッションを被訓練者に適応させることができるＣＰＲ測定装置内の「パラメータ」を外部コンピュータは格納することができる。
【図１ａ】
2013546016.tif 000003
【図１ｂ】
2013546016.tif 000004
【図２】
2013546016.tif 000005
【図３】
2013546016.tif 000006
【手続補正書】
【提出日】平成24年8月24日(2012.8.24)
【手続補正１】
【補正対象書類名】特許請求の範囲
【補正対象項目名】全文
【補正方法】変更
【補正の内容】
【特許請求の範囲】
【請求項１】
マネキン上で実行されるＣＰＲを監視するためのシステムであって、
前記マネキンは、実行されたＣＰＲに関する少なくとも１つの第１のパラメータを測定するための手段と、実行されたＣＰＲに関する少なくとも１つの第２のパラメータを測定するためのセンサを備えるＣＰＲの間のマネキンの胸部上の位置決めをするための測定ユニットとを備え、
前記システムは、また、前記マネキン上で実行されたＣＰＲの間の選択された時間の間に測定された前記第１および第２のパラメータを分析し、且つ前記測定されたパラメータを評価するための分析手段を備え、前記パラメータの前記評価が保存され、前記システムが、前記第１および第２のパラメータの前記評価に基づいてフィードバックをユーザに提供するように構成されるシステム。
【請求項２】
前記測定ユニットは、ＣＰＲの間に圧縮深さを測定するためのセンサと、前記測定されたパラメータを保存するためのメモリユニットとを備える無線ＣＰＲセンサである請求項１に記載のシステム。
【請求項３】
前記マネキンは、圧縮深さセンサ、通気センサ、圧迫が実行される前記胸部の位置を測定する位置センサのうちの少なくとも１つのセンサを備える請求項１に記載のシステム。
【請求項４】
前記分析手段は、ユーザに対して改善されたフィードバックを可能にするために、前記測定ユニットおよび前記マネキンにおいて測定された対応するパラメータと、該パラメータと推奨されるＣＰＲ処理との間の検出偏差とを比較するように構成される請求項１に記載のシステム。
【請求項５】
前記マネキンは、独立した測定ユニットと通信するための第１の通信手段を備え、前記測定ユニットは、前記第１の通信手段と通信するための第２の通信手段を備える請求項１に記載のシステム。
【請求項６】
前記マネキンにおいて測定された前記パラメータは、前記測定ユニットに通信され、前記測定ユニットは、前記測定ユニットおよび前記マネキンの両方にて測定された前記パラメータを保存するためのストレージデバイスを有する請求項５に記載のシステム。
【請求項７】
前記測定ユニットにおいて測定された前記パラメータは、前記マネキンに通信され、前記マネキンは、前記測定ユニットおよび前記マネキンの両方にて測定された前記パラメータを保存するためのストレージデバイスを有する請求項５に記載のシステム。
【請求項８】
前記通信手段は、例えばＲＦＩＤ、ブルートゥースなどの通信プロトコルを用いる電磁気信号を用いる請求項５に記載のシステム。
【請求項９】
前記分析手段は、それらの１つにおける誤差を検出するために、前記マネキンおよび前記ＣＰＲ測定ユニットの測定値の間の偏差を検出するように構成される請求項１に記載のシステム。
【請求項１０】
外部コンピュータをさらに備え、該外部コンピュータにおいて少なくとも１つの分析されたパラメータが、保存され、例えば後のトレーニングセッションの間に前記マネキンに通信されることができ、それにより、前記トレーニングセッションを前記保存されたパラメータに適応させるための手段を備える請求項１に記載のシステム。
【請求項１１】
保存されたパラメータが、トレーニングを実行する人と関連し、前記システムは、前記人を識別し、次のトレーニングセッションを、実行するユーザに適応するように構成される請求項１に記載のシステム。
【請求項１２】
請求項１に記載のシステムで使用されるＣＰＲ測定装置であって、
前記マネキンから測定データを受信するための通信手段と、
前記マネキンから受信した情報を保存するためのストレージデバイスと、
前記測定されたパラメータを評価する前記分析手段を備える外部コンピュータに、前記ＣＰＲ測定ユニットから、および前記マネキンからの両方からの格納データを通信するための出力インタフェースと
を含み、前記測定装置はまた、ＣＰＲの間に測定された少なくとも前記第２の測定されたパラメータならびに前記第１および第２のパラメータの前記評価に基づいてＣＰＲの間にフィードバックをユーザに提供するためのフィードバック手段を含む装置。
【国際調査報告】
2013546016.tif 000007
2013546016.tif 000008